(57)【要約】      （修正有）【課題】汚物袋内の物体があふれ出るのを防止する汚物袋に使用する接続チューブの構造及び、該接続チューブの構造を具有する汚物袋の構造を提供する。【解決手段】接続チューブの構造の一端は汚物袋と接続し、別端は肛門チューブと接続する。接続チューブ構造に含まれるのはチューブヘッド、密閉ワッシャー及び接続ヘッドである。チューブヘッドは中空状であり、両端に第一端及び第二端を具有し、第一端は肛門チューブに套設する。第二端に近い外側に環溝を設け、該密閉ワッシャーを該環溝に嵌める。該接続ヘッドはチューブヘッドの外に套合する中空の柱状のものであり、一端をチューブヘッドの第二端に套設し、且つ汚物袋と接続することで、汚物袋がしっかりと密閉ワッシャーと嵌合する。【選択図】図５
0003165851.tif 000002
【実用新案登録請求の範囲】
【請求項１】
チューブヘッド、密閉ワッシャー、接続ヘッドを含み、
該チューブヘッドは中空状のものであり、該チューブヘッドの両端はそれぞれ第一端及び第二端であり、該第一端を肛門チューブに套設し、該チューブヘッドに近い第二端の外縁に環溝を設け、
密閉ワッシャーを該環溝に套設し、及び、
接続ヘッドは中空状の柱体であり、該接続ヘッドを該チューブヘッドの外に套合し、一端を該チューブヘッドの第二端に接続し、且つ汚物袋に接続することで、該汚物袋がしっかりと該密閉ワッシャーに套合することを特徴とする、肛門チューブに接続する汚物袋に使用する接続チューブの構造。
【請求項２】
前記肛門チューブの内壁に一つの凸リブを形成し、該チューブヘッド１１の第一端１１１に近隣する外側に凸リブ３１に対応した溝１１４を形成し、該溝１１４は該凸リブ３１と嵌合するため、該チューブヘッド１１が該肛門チューブ３０に結合して定位し、
汚物袋の開口部に一つの密閉ヘッドを結合し、該密閉ヘッドの一端を汚物袋の開口部と接続し、別端は該接続ヘッドの内側に挿入し、しっかりと密閉ワッシャーの外側を套合することを特徴とする請求項１記載の汚物袋に使用する接続チューブの構造。
【請求項３】
前記汚物袋の密閉ヘッドの外側に複数の第一ねじ山を形成し、該接続ヘッドには対応する複数の第二ねじ山を設け、該第一ねじ山及び第二ねじ山は互いに螺合することを特徴とする請求項２記載の汚物袋に使用する接続チューブの構造。
【請求項４】
前記汚物袋の密閉ヘッドに一つの突起を具有し、該接続ヘッドはそれに対応してＬ字型の穴を設置し、該突起を該穴に掛合して定位することを特徴とする請求項２記載の汚物袋に使用する接続チューブの構造。
【請求項５】
前記チューブヘッド１１の第二端１１２に近い縁に突出縁１１５を設置し、
該接続ヘッド１３の一端は套管１３１であり、別端は該套管１３１の直径より若干大きい環套１３２を設け、
該環套１３２を該チューブヘッド１１の第二端１１２と接続し、該チューブヘッド１１の突出縁１１５は該套管１３１及び該環套１３２の境目に抵触することを特徴とする請求項１記載の汚物袋の接続チューブの構造。  
【請求項６】
汚物袋、接続チューブ構造を含み、
該接続チューブ構造の一端は該汚物袋と接続し、別端は肛門チューブに接続し、該接続チューブ構造に含まれるのは、チューブヘッド、密閉ワッシャー、接続ヘッドであり、該チューブヘッドは中空状であり、両端に第一端及び第二端を具有し、第一端は肛門チューブに套設し、第二端に近い外側に環溝を設け、
該密閉ワッシャーを該環溝に嵌め、及び
該接続ヘッドは中空の柱状のものであり、接続ヘッドをチューブヘッドの外に套合し、一端をチューブヘッドの第二端に套設し、且つ汚物袋と接続することで、汚物袋がしっかりと密閉ワッシャーと嵌合することを特徴とする肛門チューブを接続する接続チューブの構造を具有する汚物袋。
【請求項７】
該汚物袋に開口部を具有し、該開口部の一端に密閉ヘッドを結合し、該密閉ヘッドの別端は該接続ヘッドの内側に挿入し、しっかりと該密閉ワッシャーの外側に套合することを特徴とする請求項６記載の接続チューブ構造を具有する汚物袋。
【請求項８】
前記密閉ヘッドの外側に複数の第一ねじ山を形成し、該接続ヘッドに対応する複数の第二ねじ山を設け、該第一ねじ山及び第二ねじ山は互いに螺合することを特徴とする請求項７記載の接続チューブの構造を具有する汚物袋。
【請求項９】
前記密閉ヘッドに一つの突起を具有し、該接続ヘッドはそれに対応してＬ字型の穴を設置し、該突起を該穴に掛合して定位することを特徴とする請求項７記載の接続チューブの構造を具有する汚物袋。    
【請求項１０】
前記肛門チューブの内壁に一つの凸リブを形成し、該チューブヘッド１１の第一端１１１に近隣する外側に凸リブ３１に対応した溝１１４を形成し、該溝１１４は該凸リブ３１と嵌合するため、該チューブヘッド１１が該肛門チューブ３０に結合して定位し、
前記チューブヘッド１１の第二端１１２に近い縁に突出縁１１５を設置し、
該接続ヘッド１３の一端は套管１３１であり、別端は該套管１３１の直径より若干大きい環套１３２を設け、
該環套１３２を該チューブヘッド１１の第二端１１２と接続し、該チューブヘッド１１の突出縁１１５は該套管１３１及び該環套１３２の境目に抵触することを特徴とする請求項６記載の汚物袋の接続チューブ構造。
【考案の詳細な説明】
【技術分野】
【０００１】
本考案はチューブ構造に関し、特に医療用汚物袋に接続するチューブ構造及び、その接続チューブ構造を具有する汚物袋に関する。
【背景技術】
【０００２】
一般的に患者が外科手術する前に、通常、その手術前の準備作業がある。また、外科手術のあと、術後の看護に時間がかかり、特殊な患者は、その間に自らトイレで排泄物を出すことができないため、補助的な医療器材を使うことで、看護する者の負担を減らし、簡単に汚物を処理することができる。
【０００３】
通常、人体の排泄物は肛門より排出される。患者が自ら排出することができない場合、患者の肛門に袋のついた肛門チューブを挿入する。該肛門チューブは更に接続チューブにより、汚物袋と接続する。排泄物は該肛門チューブ及び該接続チューブを通じて、汚物袋の中に入るため、そのまま破棄することができる。上述の構造では、該汚物袋の入り口はくぼんだ形であり、該接続チューブと汚物袋の接続方法とは、該接続チューブにある突起を無理やり汚物袋の入り口に突き刺して接続するものである。
【０００４】
患者が排泄を終えると、該汚物袋より接続チューブを抜く必要がある。該接続チューブと汚物袋は無理やり結合しているため、簡単に抜くことができず、使用する際に不便である。また、該接続チューブと汚物袋はしっかりと結合しているように見えるが、該汚物袋を使用する際、該汚物袋に集められた排泄物は容易に該接続チューブと該汚物袋が結合した隙間から漏れてしまい、使用上大変困るため、更なる改善が必要であった。
【先行技術文献】
【特許文献】
【０００５】
【特許文献１】実開平６−３３１４号公報
【考案の概要】
【考案が解決しようとする課題】
【０００６】
本考案の第１の目的は、汚物袋内の液体があふれ出るのを防止する汚物袋の接続チューブの構造を提供することにある。
本考案の第２の目的は、汚物袋内の液体があふれ出るのを防止する接続チューブ構造を具有する汚物袋を提供することにある。
本考案の第３の目的は、汚物袋の開口部に密閉ヘッドを結合し、該密閉ヘッド及び接続ヘッドが相対応した接続方法で設置し、密閉ヘッドを接続ヘッドの内側に通すことで、簡単に接続チューブを汚物袋から分離することのできる、接続チューブ構造を具有する汚物袋を提供することにある。
【課題を解決するための手段】
【０００７】
前記第１の課題を解決するため、本考案は汚物袋に使用する接続チューブの構造を提供するものである。汚物袋を肛門チューブに接続し、該接続チューブの構造に含まれるのは、チューブヘッド、密閉ワッシャー及び接続ヘッドである。チューブヘッドは中空状であり、両端に第一端及び第二端を具有し、第一端は肛門チューブに套設する。第二端に近い外側に環溝を設け、該密閉ワッシャーを該環溝に嵌める。該接続ヘッドは中空の柱状のものであり、接続ヘッドをチューブヘッドの外に套合し、一端をチューブヘッドの第二端に套設し、且つ汚物袋と接続することで、汚物袋がしっかりと密閉ワッシャーと嵌合する。
【０００８】
前記課題を解決するために、本考案は接続チューブ構造を具有する汚物袋を提供し、肛門チューブに接続する。それに含まれるのは一つの汚物袋及び接続チューブの構造である。接続チューブの構造の一端は汚物袋と接続し、別端は肛門チューブと接続する。接続チューブ構造に含まれるのはチューブヘッド、密閉ワッシャー及び接続ヘッドである。チューブヘッドは中空状であり、両端に第一端及び第二端を具有し、第一端は肛門チューブに套設する。第二端に近い外側に環溝を設け、該密閉ワッシャーを該溝に嵌める。該接続ヘッドは中空の柱状のものであり、接続ヘッドをチューブヘッドの外に套合し、一端をチューブヘッドの第二端に套設し、且つ汚物袋と接続することで、汚物袋がしっかりと密閉ワッシャーと嵌合する。
【０００９】
従来技術との違いは、本考案の接続チューブの構造は、チューブヘッドの外側に環溝を設け、密閉ワッシャーを該環溝に嵌め、更に接続ヘッドをチューブヘッドに套合する。また、汚物袋の開口部に一つの密閉ヘッドを結合し、密閉ヘッドを該接続ヘッドの内側に嵌合するため、しっかりと密閉ワッシャーの外側と套合する。よって、該汚物袋に入った液体は、該密閉ワッシャー及び、該接続ヘッドと密閉ヘッドにより、外部にあふれ出しにくい。更に該汚物袋の開口部と接続する密閉ヘッド及び接続ヘッドは、掛合或いは螺合などの接続方法であるため、簡単に汚物袋を該接続チューブ構造と離すことができ、使用するのに便利である。
【考案の効果】
【００１０】
本考案の医療用汚物袋に接続するチューブ構造及び、その接続チューブ構造を具有する汚物袋によれば、汚物袋の中空状の接続チューブ構造に含まれるチューブヘッド、密閉ワッシャー及び接続ヘッド及び、密閉ヘッドを設置することで、肛門チューブと汚物袋を接続しても、汚物袋の開口部がしっかりと密閉ワッシャーと嵌合し、それにより汚物袋内の物体があふれ出るのを防止する。また、該汚物袋の開口部と接続する密閉ヘッド及び接続ヘッドは、掛合或いは螺合などの接続方法であるため、簡単に汚物袋を該接続チューブ構造と離すことができ、使用するのに便利である。
【図面の簡単な説明】
【００１１】
【図１】本考案における接続チューブ構造を具有する汚物袋の立体組立略図である。
【図２】本考案における接続チューブ構造を具有する汚物袋の立体分解図である。
【図３】本考案における接続チューブ構造の立体分解図である。
【図４】本考案における汚物袋の立体分解図である。
【図５】本考案における接続チューブと汚物袋、肛門チューブの組合せ断面図である。
【図６】本考案の第二実施例である。
【図７】本考案の使用略図である。
【考案を実施するための形態】
【００１２】
本考案の汚物袋に使用する接続チューブの構造及び、該接続チューブ構造を具有する汚物袋の実施例を、図面を参照して説明する。
【実施例】
【００１３】
図１及び図２に示すのは、本考案の接続チューブの構造を具有する汚物袋の立体組立略図及び立体分解図である。本考案の接続チューブの構造１０を具有する汚物袋２０は、一つの肛門チューブ３０と接続するものであり、つまり該接続チューブ構造１０の一端は、汚物袋２０と接続し、別端は肛門チューブ３０と套設する。
【００１４】
図３から図５に示すのは、本考案の接続チューブ構造の立体分解図、汚物袋の立体分解図、及び接続チューブと汚物袋、肛門チューブの組立断面図である。本考案の汚物袋２０に使用する接続チューブ構造１０は、該汚物袋２０を該肛門チューブ３０と接続するためのものであり、該接続チューブ構造１０に含まれるのは、チューブヘッド１１、密閉ワッシャー１２及び接続ヘッド１３である。
【００１５】
該チューブヘッド１１は中空状のものであり、該チューブヘッド１１の両端はそれぞれ第一端１１１及び第二端１１２である。該第一端１１１を該肛門チューブ３０に挿入し、該肛門チューブ３０の内壁に一本の凸リブ３１を形成し、且つ該チューブヘッド１１の第一端１１１に近隣する外側に凸リブ３１に対応した溝１１４を形成し、該溝１１４は該凸リブ３１と嵌合するため、該チューブヘッド１１が該肛門チューブ３０に結合して定位する。更に該チューブヘッド１１の第二端１１２に近い縁に環溝１１３及び突出縁１１５を設置し、該密閉ワッシャー１２を該環溝１１３に套設する。  
【００１６】
該接続ヘッド１３は中空状の柱であり、該チューブヘッド１１の外に套合する。また、該接続ヘッド１３の一端を該チューブヘッド１１の第二端１１２に嵌合し、且つ汚物袋２０と接続する。本実施例の接続ヘッド１３の一端は套管１３１であり、別端は該套管１３１の直径より若干大きい環套１３２を設け、該環套１３２は汚物袋２０と接続し、該汚物袋２０がしっかりと該密閉ワッシャー１２と嵌合する。該環套１３２を該チューブヘッド１１の第二端１１２と接続するとき、該チューブヘッド１１の突出縁１１５は該套管１３１及び該環套１３２の境目に抵触する。    
【００１７】
該汚物袋２０は一つの開口部２００を具有し、該汚物袋２０の開口部２００に一つの密閉ヘッド２１を結合する。該密閉ヘッド２１の一端は超音波を使って溶解して該汚物袋２０の開口部２００に結合する。該密閉ヘッド２１の別端は該接続ヘッド１３の内側に通し、しっかりと該密閉ワッシャー１２の外回りと套合する。
【００１８】
本実施例では、該汚物袋２０の密閉ヘッド２１の外回りに一つの突起２１１を具有し、該接続ヘッド１３に該突起２１１と対応して嵌合する穴１３０を設置する。該穴１３０はＬ字型を呈し、該突起２１１を挿入して回転すると、該穴１３０に定位する。また、該密閉ヘッド２１にリング２１２を成型し、該リング２１２により、該接続ヘッド１３に蓋２２を引っ掛け、該蓋２２で汚物袋２０の開口部２００を蓋合する。
【００１９】
組み立てる際、まず該接続ヘッド１３を一時的に該肛門チューブ３０の端に定位してから、密閉ワッシャー１２を套設するチューブヘッド１１を該肛門チューブ３０に挿入し、引き続き該接続ヘッド１３を該接続ヘッド１３に套合して定位する。最後に該汚物袋２０の密閉ヘッド２１を挿入して回転し、該接続ヘッド１３に定位する。完成した肛門チューブ３０、接続チューブの構造１０及び汚物袋２０の組合せは、図５にて分かるように、該汚物袋２０内の排泄物(図に未掲載)は、密閉ワッシャー１２、接続ヘッド１３及び該密閉ヘッド２１により、外部にあふれ出しにくくなっている。
【００２０】
図６に示すのは、本考案の第二実施例である。本実施例は第一実施例とは大まか同じであるが、異なる部分は、該汚物袋２０の密閉ヘッド２１ａ及び接続ヘッド１３ａの結合方法である。該実施例の密閉ヘッド２１ａの外縁に複数の第一ねじ山２１１ａを成型し、該接続ヘッド１３ａは該第一ねじ山２１１ａに対応して複数の第二ねじ山１３１ａを設ける。該第一ねじ山２１１ａは第二ねじ山１３１ａと螺合し、該接続ヘッド１３ａを該密閉ヘッド２１ａに接続する。
【００２１】
図７に示すのは、本考案の使用略図である。該汚物袋２０を使用する際、該肛門チューブ３０の汚物袋２０を接続する別端は一つのサック３２を設置し、且つ該肛門チューブ３０の両サイドにそれぞれ薬の注入チューブ３３及び空気入れチューブ３４を設置する。該サック３２を患者の肛門に挿入し、必要な際には薬剤を薬の注入チューブ３３から入れる、或いは気体を該空気入れチューブ３４より入れて、患者が排泄しやすくさせ、排泄物が該肛門チューブ３０を通って、該汚物袋２０に集められる。
【００２２】
以上の各実施例によれば、補助的な医療器材として、看護する者の負担を減らし、簡単に汚物を処理する医療の医療用汚物袋に接続するチューブ構造及び、その接続チューブ構造を具有する汚物袋であって、汚物袋の中空状の接続チューブ構造に含まれるチューブヘッド、密閉ワッシャー及び接続ヘッド及び、密閉ヘッドを設置することで、肛門チューブと汚物袋を接続しても、汚物袋の開口部がしっかりと密閉ワッシャーと嵌合し、それにより汚物袋内の物体があふれ出るのを防止する。また、該汚物袋の開口部と接続する密閉ヘッド及び接続ヘッドは、掛合或いは螺合などの接続方法であるため、簡単に汚物袋を該接続チューブ構造と離すことができ、使用するのに便利である。
なお、以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【産業上の利用可能性】
【００２３】
本考案の構造を明確に示すために図に沿って詳細な説明を行ったが、これにより本考案の保護範囲が限定されるものでなく、上述した医療用ばかりでなく、一般の家庭での介護等にも利用が可能である。
【符号の説明】
【００２４】
１０  接続チューブの構造
１１  チューブヘッド
１１１  第一端
１１２  第二端
１１３  環溝
１１４  溝
１１５  突出縁
１２  密閉ワッシャー
１３  接続ヘッド
１３０  穴
１３１  套管
１３２ 環套
２０  汚物袋
２００  開口部
２１  密閉ヘッド
２１１  突起
２１２  リング
２２  蓋
３０  肛門チューブ
３１  凸リブ
３２  サック
３３  薬の注入チューブ
３４  空気入れチューブ
２１ａ  密閉ヘッド
２１１ａ  第一ねじ山
１３ａ  接続ヘッド
１３１ａ  第二ねじ山
【図１】
0003165851.tif 000003
【図２】
0003165851.tif 000004
【図３】
0003165851.tif 000005
【図４】
0003165851.tif 000006
【図５】
0003165851.tif 000007
【図６】
0003165851.tif 000008
【図７】
0003165851.tif 000009
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
チューブヘッド、密閉ワッシャー、接続ヘッドを含み、
該チューブヘッドは中空状のものであり、該チューブヘッドの両端はそれぞれ第一端及び第二端であり、該第一端を肛門チューブに套設し、該チューブヘッドに近い第二端の外縁に環溝を設け、
密閉ワッシャーを該環溝に套設し、及び、
接続ヘッドは中空状の柱体であり、該接続ヘッドを該チューブヘッドの外に套合し、一端を該チューブヘッドの第二端に接続し、且つ汚物袋に接続することで、該汚物袋がしっかりと該密閉ワッシャーに套合することを特徴とする、肛門チューブに接続する汚物袋に使用する接続チューブの構造。
【請求項２】
前記肛門チューブの内壁に一つの凸リブを形成し、該チューブヘッド１１の第一端１１１に近隣する外側に凸リブ３１に対応した溝１１４を形成し、該溝１１４は該凸リブ３１と嵌合するため、該チューブヘッド１１が該肛門チューブ３０に結合して定位し、
汚物袋の開口部に一つの密閉ヘッドを結合し、該密閉ヘッドの一端を汚物袋の開口部と接続し、別端は該接続ヘッドの内側に挿入し、しっかりと密閉ワッシャーの外側を套合することを特徴とする請求項１記載の汚物袋に使用する接続チューブの構造。
【請求項３】
前記汚物袋の密閉ヘッドの外側に複数の第一ねじ山を形成し、該接続ヘッドには対応する複数の第二ねじ山を設け、該第一ねじ山及び第二ねじ山は互いに螺合することを特徴とする請求項２記載の汚物袋に使用する接続チューブの構造。
【請求項４】
前記汚物袋の密閉ヘッドに一つの突起を具有し、該接続ヘッドはそれに対応してＬ字型の穴を設置し、該突起を該穴に掛合して定位することを特徴とする請求項２記載の汚物袋に使用する接続チューブの構造。
【請求項５】
前記チューブヘッド１１の第二端１１２に近い縁に突出縁１１５を設置し、
該接続ヘッド１３の一端は套管１３１であり、別端は該套管１３１の直径より若干大きい環套１３２を設け、
該環套１３２を該チューブヘッド１１の第二端１１２と接続し、該チューブヘッド１１の突出縁１１５は該套管１３１及び該環套１３２の境目に抵触することを特徴とする請求項１記載の汚物袋に使用する接続チューブの構造。  
【請求項６】
汚物袋、接続チューブ構造を含み、
該接続チューブ構造の一端は該汚物袋と接続し、別端は肛門チューブに接続し、該接続チューブ構造に含まれるのは、チューブヘッド、密閉ワッシャー、接続ヘッドであり、該チューブヘッドは中空状であり、両端に第一端及び第二端を具有し、第一端は肛門チューブに套設し、第二端に近い外側に環溝を設け、
該密閉ワッシャーを該環溝に嵌め、及び
該接続ヘッドは中空の柱状のものであり、接続ヘッドをチューブヘッドの外に套合し、一端をチューブヘッドの第二端に套設し、且つ汚物袋と接続することで、汚物袋がしっかりと密閉ワッシャーと嵌合することを特徴とする肛門チューブを接続する接続チューブの構造を具有する汚物袋。
【請求項７】
該汚物袋に開口部を具有し、該開口部の一端に密閉ヘッドを結合し、該密閉ヘッドの別端は該接続ヘッドの内側に挿入し、しっかりと該密閉ワッシャーの外側に套合することを特徴とする請求項６記載の接続チューブ構造を具有する汚物袋。
【請求項８】
前記密閉ヘッドの外側に複数の第一ねじ山を形成し、該接続ヘッドに対応する複数の第二ねじ山を設け、該第一ねじ山及び第二ねじ山は互いに螺合することを特徴とする請求項７記載の接続チューブの構造を具有する汚物袋。
【請求項９】
前記密閉ヘッドに一つの突起を具有し、該接続ヘッドはそれに対応してＬ字型の穴を設置し、該突起を該穴に掛合して定位することを特徴とする請求項７記載の接続チューブの構造を具有する汚物袋。    
【請求項１０】
前記肛門チューブの内壁に一つの凸リブを形成し、該チューブヘッド１１の第一端１１１に近隣する外側に凸リブ３１に対応した溝１１４を形成し、該溝１１４は該凸リブ３１と嵌合するため、該チューブヘッド１１が該肛門チューブ３０に結合して定位し、
前記チューブヘッド１１の第二端１１２に近い縁に突出縁１１５を設置し、
該接続ヘッド１３の一端は套管１３１であり、別端は該套管１３１の直径より若干大きい環套１３２を設け、
該環套１３２を該チューブヘッド１１の第二端１１２と接続し、該チューブヘッド１１の突出縁１１５は該套管１３１及び該環套１３２の境目に抵触することを特徴とする請求項６記載の接続チューブの構造を具有する汚物袋。